【手続補正書】
【提出日】令和1年12月3日(2019.12.3)
【手続補正１】
【補正対象書類名】明細書
【補正対象項目名】発明の名称
【補正方法】変更
【補正の内容】
【発明の名称】造形物の製造方法
【手続補正２】
【補正対象書類名】明細書
【補正対象項目名】０００１
【補正方法】変更
【補正の内容】
【０００１】
本発明は、造形物の製造方法に関する。
【手続補正３】
【補正対象書類名】明細書
【補正対象項目名】０００４
【補正方法】変更
【補正の内容】
【０００４】
立体画像の表面の凹凸を形成するための黒色インクで印刷される二次元パターン（以下、適宜、濃淡画像と称する）は、熱膨張性シートの表面に印刷された方が、熱が熱膨張層に伝播し易いので、濃淡画像における黒色インクの濃淡が膨張高さに反映され易く、表面を高低差の明瞭な、また微細な凹凸形状に形成することができる。しかし、熱膨張性シートの表面に印刷された黒色インクによる濃淡画像は、色インクの画像パターン（以下、適宜、色彩画像と称する）の下から透けて色彩を損なわせるという問題がある。これに対して、裏面側の基材に印刷された濃淡画像は表面から視認されないので、色彩に影響を与えない立体画像が得られる。しかし、濃淡画像（黒色インク）の熱が、厚さ方向に基材（介在層）を経由して熱膨張層へ伝播する際に面方向にも拡散するため、凸状または凹状の領域を細い線や点等に形成したり、凹凸の高低差を急峻に形成することが困難であった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明の課題は、熱膨張層との間に介在される所定の厚みを有した介在層越しに前記熱膨張層に対して熱を加えることにより前記熱膨張層の厚み方向に凹凸を形成させる場合であっても、凹凸の高低差を急峻に形成することが可能な造形物の製造方法を提供することである。
【手続補正６】
【補正対象書類名】明細書
【補正対象項目名】０００７
【補正方法】変更
【補正の内容】
【０００７】
上記課題を解決するため、本発明に係る第１の態様の造形物の製造方法は、熱膨張層との間に介在される所定の厚みを有した介在層越しに前記熱膨張層に対して熱を加えることにより前記熱膨張層の厚み方向に凹凸を形成させる凹凸形成工程と、前記凹凸形成工程に先立って、光を熱に変換する光熱変換成分を含む濃淡画像を、前記介在層上に印刷する濃淡画像印刷工程と、前記濃淡画像印刷工程に先立って、前記濃淡画像における互いに濃度が異なる隣接した２つの領域の境界上で前記熱膨張層の上面または下面に前記凹凸に伴う所定の段差が前記凹凸形成工程で形成されるように、前記２つの領域の少なくとも一方における前記境界から所定距離までの範囲を輪郭部として、所定の画像データに対して輪郭強調処理を施す濃度調整工程と、を有し、前記濃度調整工程は、前記輪郭強調処理として、前記凹凸形成工程で形成される前記段差が垂直に近くなるように前記輪郭部の濃度を調整するとともに、前記輪郭部に隣接する両脇の領域が前記輪郭部の濃度の調整前後で同一となるように濃度を調整し、前記濃淡画像印刷工程は、前記濃度調整工程で前記輪郭強調処理が施された画像データに基づいて前記濃淡画像を前記介在層上に印刷し、前記凹凸形成工程は、前記濃淡画像印刷工程で前記介在層上に印刷された濃淡画像に向けて光を照射することにより、前記介在層越しに前記熱膨張層に対して熱を加える、ことを特徴とする。
また、本発明に係る第２の態様の造形物の製造方法は、熱膨張層との間に介在される所定の厚みを有した介在層越しに前記熱膨張層に対して熱を加えることにより前記熱膨張層の厚み方向に凹凸を形成させる凹凸形成工程と、前記凹凸形成工程に先立って、光を熱に変換する光熱変換成分を含む濃淡画像を、前記介在層上に印刷する濃淡画像印刷工程と、前記濃淡画像印刷工程に先立って、前記濃淡画像における互いに濃度が異なる隣接した２つの領域の境界上で前記熱膨張層の上面または下面に前記凹凸に伴う所定の段差が前記凹凸形成工程で形成されるように、前記２つの領域の少なくとも一方における前記境界から所定距離までの範囲を輪郭部として、所定の画像データに対して輪郭強調処理を施す濃度調整工程と、を有し、前記濃度調整工程は、前記輪郭強調処理として、前記２つの領域のうち高濃度側の領域における前記輪郭部の濃度がさらに高濃度になるように且つ低濃度側の領域における前記輪郭部の濃度がさらに低濃度になるように前記輪郭部の濃度を調整するとともに、前記輪郭部に隣接する両脇の領域が前記輪郭部の濃度の調整前後で同一となるように濃度を調整し、前記濃淡画像印刷工程は、前記濃度調整工程で前記輪郭強調処理が施された画像データに基づいて前記濃淡画像を前記介在層上に印刷し、前記凹凸形成工程は、前記濃淡画像印刷工程で前記介在層上に印刷された濃淡画像に向けて光を照射することにより、前記介在層越しに前記熱膨張層に対して熱を加える、ことを特徴とする。
【手続補正７】
【補正対象書類名】明細書
【補正対象項目名】０００８
【補正方法】変更
【補正の内容】
【０００８】
本発明に係る造形物の製造方法によれば、熱膨張層との間に介在される所定の厚みを有した介在層越しに前記熱膨張層に対して熱を加えることにより前記熱膨張層の厚み方向に凹凸を形成させる場合であっても、凹凸の高低差を急峻に形成することができる。
【手続補正８】
【補正対象書類名】特許請求の範囲
【補正対象項目名】全文
【補正方法】変更
【補正の内容】
【特許請求の範囲】
【請求項１】
熱膨張層との間に介在される所定の厚みを有した介在層越しに前記熱膨張層に対して熱を加えることにより前記熱膨張層の厚み方向に凹凸を形成させる凹凸形成工程と、
前記凹凸形成工程に先立って、光を熱に変換する光熱変換成分を含む濃淡画像を、前記介在層上に印刷する濃淡画像印刷工程と、
前記濃淡画像印刷工程に先立って、前記濃淡画像における互いに濃度が異なる隣接した２つの領域の境界上で前記熱膨張層の上面または下面に前記凹凸に伴う所定の段差が前記凹凸形成工程で形成されるように、前記２つの領域の少なくとも一方における前記境界から所定距離までの範囲を輪郭部として、所定の画像データに対して輪郭強調処理を施す濃度調整工程と、
を有し、
前記濃度調整工程は、前記輪郭強調処理として、前記凹凸形成工程で形成される前記段差が垂直に近くなるように前記輪郭部の濃度を調整するとともに、前記輪郭部に隣接する両脇の領域が前記輪郭部の濃度の調整前後で同一となるように濃度を調整し、
前記濃淡画像印刷工程は、前記濃度調整工程で前記輪郭強調処理が施された画像データに基づいて前記濃淡画像を前記介在層上に印刷し、
前記凹凸形成工程は、前記濃淡画像印刷工程で前記介在層上に印刷された濃淡画像に向けて光を照射することにより、前記介在層越しに前記熱膨張層に対して熱を加える、
ことを特徴とする造形物の製造方法。
【請求項２】
熱膨張層との間に介在される所定の厚みを有した介在層越しに前記熱膨張層に対して熱を加えることにより前記熱膨張層の厚み方向に凹凸を形成させる凹凸形成工程と、
前記凹凸形成工程に先立って、光を熱に変換する光熱変換成分を含む濃淡画像を、前記介在層上に印刷する濃淡画像印刷工程と、
前記濃淡画像印刷工程に先立って、前記濃淡画像における互いに濃度が異なる隣接した２つの領域の境界上で前記熱膨張層の上面または下面に前記凹凸に伴う所定の段差が前記凹凸形成工程で形成されるように、前記２つの領域の少なくとも一方における前記境界から所定距離までの範囲を輪郭部として、所定の画像データに対して輪郭強調処理を施す濃度調整工程と、
を有し、
前記濃度調整工程は、前記輪郭強調処理として、前記２つの領域のうち高濃度側の領域における前記輪郭部の濃度がさらに高濃度になるように且つ低濃度側の領域における前記輪郭部の濃度がさらに低濃度になるように前記輪郭部の濃度を調整するとともに、前記輪郭部に隣接する両脇の領域が前記輪郭部の濃度の調整前後で同一となるように濃度を調整し、
前記濃淡画像印刷工程は、前記濃度調整工程で前記輪郭強調処理が施された画像データに基づいて前記濃淡画像を前記介在層上に印刷し、
前記凹凸形成工程は、前記濃淡画像印刷工程で前記介在層上に印刷された濃淡画像に向けて光を照射することにより、前記介在層越しに前記熱膨張層に対して熱を加える、
ことを特徴とする造形物の製造方法。